(57)【要約】【課題】モニタの故障などで、以前と異なる解像度のモニタを接続した場合でも自動的に解像度を検出して最適な画面構成を自動生成する機能を有するプラント監視装置を提供する。【解決手段】画面出力要求を受けた表示画面作成部２１２は、その画面ＩＤに対応する基準監視画面を構成する全部品の基準プロパティ情報を記録した「基準プロパティ情報ファイル」を基準監視画面格納部５１から取得する。  次に解像度読み出し手段２１３ａによってモニタ解像度を検出し、その解像度と先ほどの画面ＩＤに対応するプロパティ補正ファイルをプロパティ補正ファイル格納部５２から取得する。  基準プロパティ情報に対してプロパティ補正ファイルの内容から補正を加えた部品群のプロパティ情報を元に、出力すべき画面のデータを、画面データ補正部２１４で作成してモニタ３に出力する。【選択図】図２
2010244267.tif 000002
【特許請求の範囲】
【請求項１】
計算機と、この計算機で作成された監視画面を表示するモニタと、このモニタに表示する基準監視画面を前記計算機に指示する入力装置と、前記計算機に接続された補助記憶装置とを備えたプラント監視装置において、
前記補助記憶装置は、前記基準監視画面を構成する部品の属性情報である基準プロパティ情報ファイルおよび前記モニタの解像度に応じて前記部品の属性情報を補正するための属性情報を記憶したプロパティ補正ファイルを備えており、
前記計算機は、前記入力装置から指示された基準監視画面に対応する基準プロパティ情報ファイルおよび前記モニタの解像度に対応するプロパティ補正ファイルを前記補助記憶装置から読み出し、前者の属性情報を後者の属性情報で補正することにより、前記モニタの解像度に応じた監視画面データを作成することを特徴とするプラント監視装置。
【請求項２】
前記プロパティ補正ファイルは、前記モニタの解像度に応じて前記部品の属性情報を置換するための属性情報を記憶するものであり、
前記計算機は、前記入力装置から指示された基準監視画面に対応する基準プロパティ情報ファイルおよび前記モニタの解像度に対応するプロパティ補正ファイルを前記補助記憶装置から読み出し、前者の属性情報を後者の属性情報で置換することにより、前記モニタの解像度に応じた監視画面データを作成することを特徴とする請求項１記載のプラント監視装置。
【請求項３】
前記プロパティ補正ファイルは、前記モニタの解像度に応じて前記部品の属性情報を置換するための属性情報および前記基準監視画面に追加する追加部品の属性情報を記憶するものであり、
前記計算機は、前記入力装置から指示された基準監視画面に対応する基準プロパティ情報ファイルおよび前記モニタの解像度に対応するプロパティ補正ファイルを前記補助記憶装置から読み出し、前者の属性情報を後者の属性情報で置換すると共に後者の追加部品の属性情報を追加することにより、前記モニタの解像度に応じた監視画面データを作成することを特徴とする請求項１記載のプラントプラント監視装置。
【請求項４】
部品はグループ化されており、前記プロパティ補正ファイルには前記グループに属する全ての部品に対して適用すべき属性情報を記載できることを特徴とする請求項１乃至請求項３のいずれか１項に記載のプラント監視装置。
【請求項５】
前記部品には画像を含むことを特徴とする請求項１乃至請求項４のいずれか１項に記載のプラント監視装置。
【請求項６】
前記解像度読み出し手段はモニタの解像度の変更を監視し、前記解像度の変更を検出した時は、変更された解像度に対応するプロパティ補正ファイルを使用して、再度画面データを作成することを特徴とする請求項１乃至請求項５のいずれか１項に記載のプラント監視装置。
【請求項７】
現在表示している画面を構成する全ての部品の属性情報の内容を出力するプロパティ情報出力手段を備えたことを特徴とする請求項１乃至請求項６のいずれか１項に記載のプラント監視装置。
【発明の詳細な説明】
【技術分野】
【０００１】
この発明は、プラント監視装置に、基準となる解像度と異なる解像度のモニタを接続した場合でも、モニタ全体に鮮明なプラント監視画面を表示することができるプラント監視装置に関するものである。
【背景技術】
【０００２】
プラントの稼働状況を監視するプラント監視装置に、基準となる解像度と異なる解像度のモニタを接続した場合、従来はモニタの有する機能を使用してプラントを監視する画面（以下監視画面という）を表示していた。  図２７はモニタ機能を説明する図である。
図２７は、１２８０×１０２４（解像度：ＳＸＧＡ）用に作成した監視画面を、１６００×１２００（解像度：ＵＸＧＡ）のモニタに表示した場合に、監視画面がどのように表示されるかを示している。ＯＦＦモードは監視画面をそのまま表示するモードで、このモードで監視画面を表示すると、上下左右に黒幕が表示される。ＡＳＰＥＣＴモードは監視画面のアスペクト比を維持して、監視画面を最大に拡大して表示するモードである。ＳＸＧＡの監視画面をＵＸＧＡのモニタに表示した場合は左右に黒幕が表示される。ＦＵＬＬモードはオリジナルのアスペクト比を無視して拡大し、監視画面をモニタ全面に表示する。
【０００３】
このように、モニタ側の機能を使用して監視画面を表示しようとした場合、ＯＦＦモードやＡＳＰＥＣＴモードでは上下、および左右に黒幕ができてしまいモニタ全面に監視画面を表示することができない。また、ＦＵＬＬモードで表示した場合、監視画面のアスペクト比と異なるモニタに監視画面を表示するために、モニタ側で自動補完処理を行った結果、監視画面が全体的ににじんだような表示となる。つまりどのモードを選んでもモニタ全体に鮮明な監視画面を表示することができなかった。
そこで、監視画面を構成する各部品（以下単に部品という）の配置をモニタ解像度に応じて調整してから表示する発明として、特平７−２４４５６８に記載の発明がある。
この装置では、画面を構成する部品に属性を持たせ、その属性には部品間の相対的な優先度を設定できるようにしている。現在のモニタの解像度と異なるモニタに画面を表示する場合は、装置が表示対象となる画面を構成する各部品の相対優先度に従って部品サイズなどを調整して、表示画面全体を再構成して表示しようとするものである。
【先行技術文献】
【特許文献】
【０００４】
【特許文献１】特開平７−２４４５６８  （段落０００８、００１８、図７）
【発明の概要】
【発明が解決しようとする課題】
【０００５】
上述のように、特許文献１の装置では監視画面を構成する部品の属性に相対的な優先度を予め割り当てる方法を採用している。優先度を付け得る部品を画面に表示する場合は、その優先度に応じた画面領域をその部品に割り当てることによって、画面の全領域を再配置することができる。しかしながら、この方法は予め決めた優先度に従って部品を画面領域に再配置するだけなので、融通性に欠ける。
プラント監視装置においては、複数種類のモニタに対応し、どの解像度のモニタを接続した場合でも画面構成制作者が意図した監視画面を適切に表示することができるように、相対優先度を予め部品に付けることが困難であり、仮に相対優先度を割り当てたとしても、監視画面上に新たな部品を配置したい場合や、新たにアスペクト比の異なるモニタに表示したいという要望があったときに、画面を構成する部品間の属性の相対的な優先度を再調整する必要が発生する。そうすると、従来表示できていた解像度のモニタに今度は表示できなくなるという問題があった。
【０００６】
この発明は上記の問題点を解決するためになされたものであり、表示する監視画面の構成が最適となるように、モニタに表示する監視画面を構成する部品の配置を調整する機能を有するプラント監視装置の提供を目的とする。
【課題を解決するための手段】
【０００７】
この発明に係るプラント監視装置は、計算機と、この計算機で作成された監視画面を表示するモニタと、このモニタに表示する基準監視画面を計算機に指示する入力装置と、計算機に接続された補助記憶装置とを備えたプラント監視装置において、
補助記憶装置は、基準監視画面を構成する部品の属性情報である基準プロパティ情報ファイルおよびモニタの解像度に応じて部品の属性情報を補正するための属性情報を記憶したプロパティ補正ファイルを備えており、
計算機は、入力装置から指示された基準監視画面に対応する基準プロパティ情報ファイルおよびモニタの解像度に対応するプロパティ補正ファイルを補助記憶装置から読み出し、前者の属性情報を後者の属性情報で補正することにより、モニタの解像度に応じた監視画面データを作成することを特徴とするものである。
【発明の効果】
【０００８】
この発明に係るプラント監視装置の補助記憶装置は、基準監視画面を構成する部品の属性情報である基準プロパティ情報ファイルおよびモニタの解像度に応じて部品の属性情報を補正するための属性情報を記憶したプロパティ補正ファイルを備えており、
計算機は、入力装置から指示された基準監視画面に対応する基準プロパティ情報ファイルおよびモニタの解像度に対応するプロパティ補正ファイルを補助記憶装置から読み出し、前者の属性情報を後者の属性情報で補正することにより、モニタの解像度に応じた監視画面データを作成することを特徴とするものなので、表示する監視画面の構成が接続しているモニタの解像度に応じて最適となるように、監視画面を構成する部品の配置を自動調整することができる。
【図面の簡単な説明】
【０００９】
【図１】この発明のプラント監視装置を被監視装置群に接続した概念図である。
【図２】この発明のプラント監視装置の実施の形態１乃至３におけるプラント監視装置の要部ブロック図である。
【図３】この発明のプラント監視装置の実施の形態１における表示部品のプロパティ情報についての説明図である。
【図４】この発明のプラント監視装置の実施の形態１乃至３における基準監視画面の画面表示部品のプロパティを示す図である。
【図５】この発明のプラント監視装置の実施の形態１における基準プロパティ情報ファイルａの内容を示す図である。
【図６】この発明のプラント監視装置の実施の形態１におけるプロパティ補正ファイルの１レコードの構造を示す図である。
【図７】この発明のプラント監視装置の実施の形態１における表示画面作成処理手順を説明するフロー図である。
【図８】この発明のプラント監視装置の実施の形態１におけるプロパティ補正ファイルの説明図である。
【図９】この発明のプラント監視装置の実施の形態１における部品のプロパティ補正後の画面表示を示す図である。
【図１０】この発明のプラント監視装置の実施の形態１における部品のプロパティの補正処理手順を説明するフロー図である。
【図１１】この発明のプラント監視装置の実施の形態２におけるプロパティ補正ファイルのレコードの構造を示す図である。
【図１２】この発明のプラント監視装置の実施の形態２における部品のプロパティの補正処理手順を説明するフロー図である。
【図１３】この発明のプラント監視装置の実施の形態２におけるプロパティ補正ファイルの内容を示す図である。
【図１４】この発明のプラント監視装置の実施の形態２における部品のプロパティ補正後の画面表示を示す図である。
【図１５】この発明のプラント監視装置の実施の形態３におけるプロパティ補正ファイルのレコードの構造を示す図である。
【図１６】この発明のプラント監視装置の実施の形態３におけるプロパティ補正ファイルの説明図である。
【図１７】この発明のプラント監視装置の実施の形態３における部品のプロパティの補正処理手順を説明するフロー図である。
【図１８】この発明のプラント監視装置の実施の形態３における部品のプロパティ補正後の画面表示を示す図である。
【図１９】この発明のプラント監視装置の実施の形態４におけるプラント監視装置の要部ブロック図である。
【図２０】この発明のプラント監視装置の実施の形態４における基準プロパティ情報ファイルの内容を示す図である。
【図２１】この発明のプラント監視装置の実施の形態４における基準監視画面の画面表示部品のプロパティを示す図である。
【図２２】この発明のプラント監視装置の実施の形態４における表示画面作成処理手順を説明するフロー図である。
【図２３】この発明のプラント監視装置の実施の形態４におけるプロパティ補正ファイルの説明図である。
【図２４】この発明のプラント監視装置の実施の形態４における部品のプロパティ補正後の画面表示を示す図である。
【図２５】この発明のプラント監視装置の実施の形態５における要部ブロック図である。
【図２６】この発明のプラント監視装置の実施の形態５における表示画面作成処理手順を説明するフロー図である。
【図２７】この発明のプラント監視装置の実施の形態６におけるプラント監視装置の要部ブロック図である。
【図２８】この発明のプラント監視装置の実施の形態６における表示画面作成処理手順を説明するフロー図である。
【図２９】この発明のプラント監視装置の実施の形態６における出力したプロパティ情報ファイルのの内容を示す図である。
【図３０】モニタ機能を使って複数解像度のモニタに監視画面を表示する従来技術の説明図である。
【発明を実施するための形態】
【００１０】
実施の形態１．
この実施の形態１では、故障などによって使用するモニタを交換し、そのモニタの解像度が以前のモニタの解像度と異なるような場合でも、新しいモニタの解像度に合わせた最適な監視画面を、基準解像度の画面構成情報に調整を加えることにより作成して表示できるプラント監視装置について説明する。
図１は本発明のプラント監視装置１の実施の形態１におけるシステム構成図である。
プラント監視装置１（以下装置１という）は、計算装置２，出力装置としてのモニタ３、入力装置４、データを記録する補助記憶装置５を互いに接続して構成し、ネットワークを介して、被制御装置群６と接続されている。
計算装置２には、モニタ３の画面に表示する対象を作成する表示画面作成部２１を内蔵している。また、補助記憶装置５には、基準となる基準画面のデータを格納する基準監視画面格納部５１と、後述するプロパティ補正ファイル格納部５２を設けている。
【００１１】
図２は、装置１の要部ブロック図である。計算装置２の表示画面作成部２１は、入力装置４を介してユーザが入力した画面表示要求を受け付けるコマンド受付部２１１、そのコマンド要求を受けて、基準監視画面を、基準監視画面格納部５１から読み出す基準監視画面読み出し部２１２、読み出した基準監視画面のデータに対して置換を加えるべき情報の集合であるプロパティ補正ファイルをプロパティ補正ファイル格納部５２から獲得するためのプロパティ補正ファイル獲得部２１３、そして、読み出した基準監視画面のデータにプロパティ補正ファイルの内容を反映させて表示画面を作成してモニタ３に出力する画面データ補正部２１４で構成される。
【００１２】
基準監視画面格納部５１に保存されている基準監視画面のデータには２種類有る。まず、全ての画面を構成するために使用している部品種別、例えば、ボタン類や、各種の装置を表すアイコンなどが含まれる部品種別データベース５１２である。
もう一種は、この装置１が基準解像度のモニタを使用して運用されている場合に、個々の監視画面で使用する部品類の配置関係等の属性情報（プロパティ情報）を記載した基準プロパティ情報ファイル５１１である。
部品種別データベースファイルは全体で１個であり、基準プロパティ情報ファイル５１１ａ〜５１１ｚは表示画面単位で複数保存されている。
この２種類のデータを用いることにより、装置１に基準解像度のモニタを接続して画面表示を適正におこなえる。
【００１３】
次に、「プロパティ情報」について図３を用いて説明する。プロパティ情報とは、画面を構成する要素である部品に設定される各種属性をいう。画面を構成する部品の一つ一つにプロパティ情報が与えられている。  図３（ａ）（ｂ）は、部品名：ｂｕｔｔｏｎ１のプロパティ情報を示す図である。各部品に与えられるプロパティ情報は設定を変更できる。ｃｌａｓｓはその部品が属するクラス（グループ）を表し、ｘ、ｙは画面表示エリアの左上端からの位置をドット数で表す。ｗｉｄｔｈ、ｈｅｉｇｈｔは、部品の大きさをそれぞれ縦横のドット数で表し、ｍａｒｇｉｎｈｅｉｇｈｔ、ｍａｒｇｉｎｗｉｄｔｈは文字列の開始位置を余白のドット数で表す。ｔｅｘｔは部品に付ける文字列の内容を表し、ｆｏｎｔはその文字列に使用するフォントサイズを表す。
図４は画面ＩＤ＝ａの表示画面とその画面に使用する構成部品のプロパティ情報を示している。この画面を構成する各部品のプロパティ情報を記載した基準プロパティ情報ファイル５１１ａの内容は図５のようになる。
使用する部品名、プロパティ名、設定値を１レコードとして全ての使用部品のプロパティ情報を記録している。
【００１４】
プロパティ補正ファイル格納部５２（以下格納部５２という）に保存されているプロパティ補正ファイルについて説明する。
図６はプロパティ補正ファイルのファイル構造を示す図である。プロパティ情報を置換したい部品名、プロパティ名、置換後の値を１レコードとして必要分のレコードが記録されている。
上述の基準監視画面格納部５１（以下格納部５１）には基準解像度のモニタで使用するすべての表示画面についての基準プロパティ情報ファイルを画面単位で保存しているが、この格納部５２には、装置１を基準解像度以外の解像度で運用する場合に、基準プロパティ情報から設定を置換して表示したい部品についてのプロパティ情報のみを差分ファイルとして保存している。
すなわち、図２の例では、格納部５１には、画面ＩＤ＝ａ〜ｚの各基準画面の基準プロパティ情報ファイルを保存しているのに対して、格納部５２には、画面ＩＤ＝ａ〜ｚの表示画面を解像度Ａ及び解像度Ｂで表示する場合の、基準プロパティ情報ファイルとの差分ファイルを保存している。
ａという基準監視画面を解像度Ａで表示する場合の差分ファイルがａＡ、解像度Ｂで表示する場合の差分ファイルがａＢとなる。
【００１５】
装置１が表示画面を作成する具体的な処理の流れを図に基づいて説明する。
図７は、表示画面作成処理手順を説明するフロー図である。
図２に示すコマンド受付部２１１が入力装置４からユーザの画面表示要求としての画面ＩＤを受け取る。ここでは、ＩＤ＝ａが与えられたものとする（ステップＳＴ１００１）。
基準監視画面読み出し部２１２が基準監視画面格納部５１の部品種別データベース５１２から使用する部品種別の基礎データと、画面ＩＤ＝ａの基準プロパティ情報ファイルａからなる基準監視画面データを読み出す（ＳＴ１００２）。  
【００１６】
プロパティ補正ファイル獲得部２１３では、解像度読み出し手段２１３ａによって、現在装置１が使用しているモニタの解像度を検出する。ここで今、解像度がＡであったとする。プロパティ補正ファイル読み出し手段２１３ｂは、コマンド受付部２１１から通知された画面ＩＤがａかつ、対応したい解像度Ａ用であるプロパティ補正ファイルａＡをプロパティ補正ファイル格納部５２から読み出す（ステップＳＴ１００３）。
そして、画面データ補正部２１４では、ステップＳＴ１００２で得た基準プロパティ情報ファイルａに記載された部品のプロパティのうち、ステップＳＴ１００３で得たプロパティ補正ファイルａＡにも記載されたものを、後者のデータで置き換えたプロパティ情報を元に画面に表示する部品の再配置を図１０に示すフローで繰り返し行う。
具体的な例としては、図５に示す基準プロパティ情報ファイルａ及び図８に示すプロパティ補正ファイルａＡの双方に記載されている部品名“ｂｕｔｔｏｎ１”のプロパティ情報のうち“width”，“height”，“font”の内容と、“ｂｕｔｔｏｎ３”のプロパティ情報のうち“ｙ”，“width”，“height”，“font”の内容を置換する。ここでは“ボタン２”のプロパティ情報は含まれていないのでｂｕｔｔｏｎ２については何も変更されない（ステップＳＴ１００４）。
この結果、図４に示す基準監視画面（ＩＤ＝ａ）は、図９に示すような形となってモニタ３上に表示されることとなる（ＳＴ１００５，ＳＴ１００６）。
【００１７】
以上のように、あらかじめ監視画面、解像度ごとに基準監視画面から置換すべき点を記述したプロパティ補正ファイルを準備し、その記述内容に従って画面表示部品を再配置することで、表示する監視画面の構成が最適となるように、モニタに表示する監視画面を構成する部品の配置を自動的に調整することができる。
また、監視画面全体を一つの画像として拡大する必要がなくなるので、モニタ全体に鮮明な監視画面を表示することができる。
また解像度ごとに画面表示部品の再配置情報を差分ファイルとすることで、新たな解像度をサポートする必要が生じたとしても他の解像度の監視画面に影響を与えないようにできる。
【００１８】
実施の形態２．
この実施の形態２と実施の形態１との違いは、実施の形態１では既存の部品のプロパティ情報を置換したのに対して、この実施の形態２では、それに加えて新規の部品を追加できるところにある。
実施の形態１と異なるところを図を用いて説明する。
図１１はこの実施の形態で使用する、プロパティ補正ファイルのレコードの構造を示す図である。図のようにプロパティ情報を置換したい部品名に加えて、新規部品名を追加できる。実際には、その部品が新規であるか否かは、基準プロパティ情報ファイルにその部品名が存在するかどうかで判断される。
【００１９】
図１２は、この実施の形態での部品のプロパティ情報の置換、追加処理のフローを示したものである。実施の形態１に比べてＳＴ１１０２が追加され、新規の部品であるか否かを判断している。
この実施の形態でも図４に示す基準監視画面（ＩＤ＝ａ）をベースとして説明する。実施の形態１と同様に、図５に示す基準監視画面ａの基準プロパティ情報ファイルａに対して、この実施の形態２でのプロパティ補正ファイルａＡ（図１３）を適用して出力した画面が図１４である。
この実施の形態では、ｂｕｔｔｏｎ３のプロパティ情報は置換され、ｂｕｔｔｏｎ４の部品が追加されていることが分かる。部品の種別はｂｕｔｔｏｎ１〜３もｂｕｔｔｏｎ４も同じなので、プロパティ情報を追加するだけで画面に新規ボタン４を追加することができる。
【００２０】
以上のように、基準監視画面に存在しない画面表示部品の追加を可能とすることで、高解像度モニタになったときに、監視画面上に配置する監視部品を増やすことができるため、画面表示エリアを有効活用できる。
【００２１】
実施の形態３．
実施の形態２は既存の種別の新規部品のプロパティ情報を追加することにより、新規部品を画面に追加できる仕様であった。この実施の形態３では、それに加えてプロパティ情報を置換したい部品のクラス（グループ）を一括して指定できるようにしている。
実施の形態２と異なるところを図を用いて説明する。
図１５はこの実施の形態で使用する、プロパティ補正ファイルのレコードの構造を示す図である。図のようにプロパティ情報を置換したい部品名、新規部品名に加えて一括して置換したいクラスを追加できる。プロパティ補正ファイルでクラスを指定した場合、基準プロパティ情報ファイルに含まれるそのクラスに属する全ての部品のプロパティ情報を置換する。
図１６はこの実施の形態で使用するプロパティ補正ファイルの内容を示している。＜ｂｕｔｔｏｎ＞との記載がクラスとしてｂｕｔｔｏｎの全部品が対象として指定されていることを示している。
【００２２】
この実施の形態での処理のフローを示したものが図１７である。実施の形態１に比べてＳＴ３１０１、ＳＴ３１０２が追加され、クラスに対する修正であるかどうかを判断している。
この実施の形態でも図４に示す基準監視画面（ＩＤ＝ａ）をベースとして説明する。
実施の形態１と同様に、図５に示す基準プロパティ情報ファイルａに対して、この実施の形態３でのプロパティ補正ファイルａＡ（図１６）を適用して出力した画面が図１８である。
クラス指定によって、まず全てのｂｕｔｔｏｎの部品の縦、横の大きさを２００、１００とした後で更にｂｕｔｔｏｎ３だけのプロパティ情報が個別に置換されていることを示している。
以上のように、プロパティ補正ファイルの指定方法としてクラス指定を可能とすることで、同種の部品に同じ置換を加えたい場合は、一度に指定できるようになりシステムの改修が簡単になるという効果がある。
【００２３】
実施の形態４．
次に、本発明に係るプラント監視装置の実施の形態４を説明する。この実施の形態と、実施の形態１との違いは、画像を扱える点である。
図１９はこの実施の形態で使用するプラント監視装置１０１（以下装置１０１という）の要部ブロック図である。図２０は、この装置１０１の基準監視画面格納部５３に保存されている画面ＩＤ＝ｂの基準プロパティ情報ファイルｂの内容を示す図である。
最後の２行は、画像１をｘ＝５００、ｙ＝３００の位置に表示することを示している。
この基準プロパティ情報ファイルｂを使用して画面に表示すると図２１のような画面となる。
図２２は表示画面作成部２２の処理のフローを示す図である。
ＳＴ１００１で画面ＩＤ＝ｂが与えられたものとして説明する。
基準監視画面格納部５３の部品種別データベース５３２から使用する部品種別の基礎データ（画像を含む）と、画面ＩＤ＝ｂの基準プロパティ情報ファイルｂからなる基準監視画面データを読み出し（ＳＴ１００２）、続いてモニタの解像度Ａに対応するプロパティ補正ファイルｂＡ読み出す（ＳＴ１００３）。図２３はこのファイル内容を示している。基準プロパティ情報ファイルｂ及びプロパティ補正ファイルｂＡのいずれにも画像に関するレコードが含まれているので画像が含まれているものと判断できる。
プロパティ補正ファイルのｇａｚｏ１Ａ．ｇａｚｏ１は画像１を画像１Ａに置換することを示している（ＳＴ４００１）。
そこで画像ファイル獲得部２２５でプロパティ補正ファイルｂＡに記載されているｇａｚｏ１Ａのファイルを読み出して基準プロパティ情報ファイルｂに記載されていた画像と入れ替えて（ＳＴ４００２）画面表示部品を再配置する（ＳＴ１００４）。これを画面に表示すると、図２４に示す画面がモニタ３に表示される（ＳＴ１００５−ＳＴ１００６）。
【００２４】
以上のように、監視画面に画像ファイルが含まれている場合でも、解像度別にあらかじめ準備した画像ファイルに置き換えて表示することで、画像ファイルを含む監視画面に対しても、鮮明な監視画面を得ることができるという効果がある。
【００２５】
実施の形態５．
実施の形態５と実施の形態４との違いを異なる部分を中心に説明する。
この実施の形態では、一旦画面に監視画面が表示された後でも、定期的に画面の解像度を検出するためのタイマと、解像度の変更を検出した場合の割り込み機能を備えている。
図２５はこの実施の形態で使用するプラント監視装置２０１の要部ブロック図である。
図２６は表示画面作成部２２の処理のフローを示す図である。実施の形態４で説明した処理のフローに、ＳＴ５００１の工程が追加されている。
タイマ７は所定の間隔で、プロパティ補正ファイル獲得部２２３の割り込み対応解像度読み出し手段２２３ｃに対する割り込みチェックを指示する。
ここで、解像度の変更を検出すると（ＳＴ５００１）、新たな解像度に対応するプロパティ補正ファイルを読み出して、画面の再配置を行う。
【００２６】
以上のように、モニタの解像度変更を自動検出する機能と、プロパティ補正ファイルを再読み込みする手段を設けたことで、モニタの解像度変更後、監視画面の再表示要求をしなくても自動的に新たな解像度に応じた監視画面を表示できるという効果がある。
【００２７】
実施の形態６．
実施の形態６と実施の形態５との違いを異なる部分を中心に説明する。
この実施の形態では、現在表示中の画面を構成する部品のプロパティ情報を出力する機能を備えている。
図２７はこの実施の形態で使用するプラント監視装置３０１の要部ブロック図である。
図２８は表示画面作成部２２の処理のフローを示す図である。
コマンド受付部２２１がプロパティ情報出力要求を受け付けると（ＳＴ６００１）、画面データ変換部２２４は、現在表示中の監視画面を構成する全ての部品のプロパティ情報ファイル８を、図２９に示すように、基準プロパティ情報ファイルと同様のファイル構造で出力する（ＳＴ６００２）。
【００２８】
以上のように表示中の監視画面を構成する各部品のプロパティ情報を出力する手段を設けたことにより、プロパティ補正ファイルの新規作成、保守が容易になるという効果がある。
【符号の説明】
【００２９】
１，１０１，２０１  プラント監視装置、２  計算装置、３、モニタ、４  入力装置、５  補助記憶装置、６  被監視装置群、７  タイマ、８  プロパティ情報ファイル、
２１，２２  表示画面作成部、２１１  コマンド受付部、
２１２  基準監視画面読み出し部、２１３  プロパティ補正ファイル獲得部、
２１３ａ  解像度読み出し手段、２１３ｂ  プロパティ補正ファイル読み出し手段、
２１４  画面データ補正部、２１４ａ  プロパティ補正ファイル解析手段、
２２３ｃ  割り込み対応解像度読み出し手段、５１，５３  基準監視画面格納部、
５１１ａ，５３１ａ  基準プロパティ情報ファイル、
５１２，５３２  部品種別データベース、５２  プロパティ補正ファイル格納部、
５４  画像ファイル格納部、２２５  画像ファイル獲得部。
【図１】
2010244267.tif 000003
【図２】
2010244267.tif 000004
【図３】
2010244267.tif 000005
【図４】
2010244267.tif 000006
【図５】
2010244267.tif 000007
【図６】
2010244267.tif 000008
【図７】
2010244267.tif 000009
【図８】
2010244267.tif 000010
【図９】
2010244267.tif 000011
【図１０】
2010244267.tif 000012
【図１１】
2010244267.tif 000013
【図１２】
2010244267.tif 000014
【図１３】
2010244267.tif 000015
【図１４】
2010244267.tif 000016
【図１５】
2010244267.tif 000017
【図１６】
2010244267.tif 000018
【図１７】
2010244267.tif 000019
【図１８】
2010244267.tif 000020
【図１９】
2010244267.tif 000021
【図２０】
2010244267.tif 000022
【図２１】
2010244267.tif 000023
【図２２】
2010244267.tif 000024
【図２３】
2010244267.tif 000025
【図２４】
2010244267.tif 000026
【図２５】
2010244267.tif 000027
【図２６】
2010244267.tif 000028
【図２７】
2010244267.tif 000029
【図２８】
2010244267.tif 000030
【図２９】
2010244267.tif 000031
【図３０】
2010244267.tif 000032